(57)【要約】【課題】防犯用スクリーンが設けられたタクシーの運転席に簡単にシートカバーの着脱ができるようにするとともに、シートカバーをずれることなく常に正しい被着状態で着けられるようにする。【解決手段】運転席の背もたれ１の両肩部と前面上部を包囲するシートカバー本体８を布地により立体袋状に縫製し、該シートカバー本体の一方の肩部９ａの背面にスナップボタン１０ａ，１１ａおよび面ファスナー１２ａ，１３ａを隣り合うように設けるとともに、他方の肩部９ｂの背面に該背もたれの背面上部を被う背面部１４を横断状に延設し、該背面部の先端部に前記スナップボタンに合着するスナップボタン１０ｂ，１１ｂおよび前記面ファスナーに合着する面ファスナー１２ｂ，１３ｂを設けてなる。【選択図】図４
2006026179.tif 000002
【特許請求の範囲】
【請求項１】
運転席の背もたれの両肩部と前面上部を包囲するシートカバー本体を布地により立体袋状に縫製し、該シートカバー本体の一方の肩部の背面にスナップボタンおよび面ファスナーを隣り合うように設けるとともに、他方の肩部の背面に該背もたれの背面上部を被う背面部を横断状に延設し、該背面部の先端部に前記スナップボタンに合着するスナップボタンおよび前記面ファスナーに合着する面ファスナーを設けてなることを特徴としたタクシーの運転席用シートカバー。
【請求項２】
背面部の先端部の下縁寄りにスナップボタンを設けるとともに、その上縁乃至先端縁寄りに面ファスナーを設けた請求項１に記載のタクシーの運転席用シートカバー。
【請求項３】
運転席のヘッドレストを包囲するヘッドレストカバーを布地により袋状に縫製するとともに、該ヘッドレストカバーをシートカバー本体の上縁に連結帯を介して連接状に設けてなることを特徴とする請求項１または２に記載のタクシーの運転席用シートカバー。
【発明の詳細な説明】
【技術分野】
【０００１】
本発明はタクシーの運転席に着脱自在に被せられるシートカバーに関するものである。
【背景技術】
【０００２】
下記特許文献１に示されたタクシー用防犯スクリーンは、タクシーの運転席の背もたれ部の後側に運転席を後部座席から遮蔽するように合成樹脂板からなる透明または半透明なスクリーンを立設することにより、タクシー強盗を防ごうとするものである。
【特許文献１】特開２０００−２１１４５７号公報
【０００３】
また、運転席のヘッドレストの支柱を利用して透明または半透明の合成樹脂板を運転席の背もたれ部上に支持することにより、車内天井面と運転席の背もたれ部上空間を比較的小型のスクリーンによって仕切できるようにした防犯用スクリーンが創案された。
【発明の開示】
【発明が解決しようとする課題】
【０００４】
ところで、一般にタクシーの座席シートにはレース等の布地からなるシートカバーを被せることにより、乗客に清潔感が持たれるようにしているが、上記のように運転席に防犯用スクリーンが設けられていると、その防犯用スクリーンが邪魔となりシートカバーを上方から被せることができないので、クリーニングの際に着脱の手間が掛かるという問題があった。
そこで本発明は、防犯用スクリーンが設けられていても簡単にシートカバーの着脱ができるようにするとともに、シートカバーをずれることなく常に正しい被着状態で着けられるようにし、上記問題を解消しようとするものである。
【課題を解決するための手段】
【０００５】
そのために請求項１に記載のタクシーの運転席用シートカバーは、運転席の背もたれの両肩部と前面上部を包囲するシートカバー本体を布地により立体袋状に縫製し、該シートカバー本体の一方の肩部の背面にスナップボタンおよび面ファスナーを隣り合うように設けるとともに、他方の肩部の背面に該背もたれの背面上部を被う背面部を横断状に延設し、該背面部の先端部に前記スナップボタンに合着するスナップボタンおよび前記面ファスナーに合着する面ファスナーを設けてなることを特徴とする。
このため、防犯用スクリーンが設けられたタクシーの運転席にもシートカバーの着脱を簡単にできるようになる。
【０００６】
また、請求項２に記載の発明は上記運転席用シートカバーにおいて、背面部の先端部の下縁寄りにスナップボタンを設けるとともに、その上縁乃先端縁寄りに面ファスナーを設けたことを特徴とする。
このため、シートカバーをずれることなく常に正しい被着状態で着けられる。
【０００７】
また、請求項３に記載の発明は上記運転席用シートカバーにおいて、運転席のヘッドレストを包囲するヘッドレストカバーを布地により袋状に縫製するとともに、該ヘッドレストカバーをシートカバー本体の上縁に連結帯を介して連接状に設けてなることを特徴とする。
このため、ヘッドレストカバーが常にシートカバー本体と付随し、取り扱いが容易となる。
【発明の効果】
【０００８】
防犯用スクリーンが設けられたタクシーの運転席に簡単にシートカバーの着脱ができるとともに、シートカバーをずれることなく常に正しい被着状態で着けられる。
【発明を実施するための最良の形態】
【０００９】
次に本発明の実施の形態を図面と共に説明する。図１は防犯用スクリーンが設けられた運転席の斜視図、図２はその後側の斜視図である。図中、１は運転席の背もたれ、２はその上部に突出する一対の支柱３により支持されたヘッドレストである。防犯用スクリーン４はアクリル等の合成樹脂により略長方形皿状に成形され、その背面にポケット５が一体に形成された防犯用スクリーンで、該防犯用スクリーンは下縁部前面に支柱３を挟着する金具６が設けられ、該金具に貫挿されたボルト・ナット７を締付することによりヘッドレスト２を後面から被うように背もたれ１上に立設される。なお、ポケット５には乗客が自由に手に取れるようにタクシー利用案内書等の印刷物が収容される。
【００１０】
しかして本発明に係る運転席用シートカバーは、図３に背面斜視図を示したように、定幅状のレース地８ａを裁断し、その両側縁に幅地８ｂを縫い付けることによりシートカバー本体８を立体袋状に縫製し、該シートカバー本体８により運転席の背もたれ１の両肩部と前面上部を包囲し得るようにする。また、該シートカバー本体の一方の肩部９ａの背面の下縁寄りにスナップボタン１０ａ，１１ａを２つ並べて縫い付けるとともに、その上縁乃至先端縁寄りに面ファスナー１２ａ，１３ａを縫い付ける。また、他方の肩部９ｂよりレース地８ａを横断状に延設することにより背もたれ１の背面上部を被う背面部１４を延設し、該背面部の先端部の下縁寄りに前記スナップボタン１０ａ，１１ａに合着するスナップボタン１０ｂ，１１ｂを縫い付けるとともに、その上縁乃至先端縁寄りに前記面ファスナー１２ａ，１３ａに合着する面ファスナー１２ｂ，１３ｂを縫い付けてなる。なお、１５ａ，１５ｂはシートカバー本体８と背面部１４との間に形成される開口である。また、１６は背もたれ１の背面に突設された手摺り１７を避けるために該背面部１４に形成された長孔である。
【００１１】
また、１８はレース地等の布地により袋状に縫製され、その下方開口縁１９にゴム紐が挿通されたヘッドレストカバーで、該ヘッドレストカバーは前記シートカバー本体８の上縁に連結帯２０を介して連接状に設けられる。
【００１２】
このように構成されたシートカバーでは、ヘッドレスト２を包囲するようにヘッドレストカバー１８を被せるとともに、図４に示したように、背もたれ１の両肩にシートカバー本体８の両肩部９ａ，９ｂを被せ、肩部９ａのスナップボタン１０ａ，１１ａに背面部１４のスナップボタン１０ｂ，１１ｂを押し合わせた後、面ファスナー１２ｂ，１３ｂを面ファスナー１２ａ，１３ａを貼り合わせ接合する。これにより、図５，図６に示したように、防犯用スクリーンが設けられていても着脱の邪魔になることなく背もたれ１の両肩部と前面上部を体裁良く包囲することができる。
【００１３】
このように、面ファスナーだけでなくスナップボタンを設けたことから、本発明では背面部１４を肩部９ａに接合するに際し、先にスナップボタン１０ｂ，１１ｂをスナップボタン１０ａ，１１ａに押し付け、その後に面ファスナー１２ｂ，１３ｂを面ファスナー１２ａ，１３ａに押し付ける。こうすることで肩部９ａに対し背面部１４がずれることなく正しく位置決めされ、しかも面ファスナーの強力な接着力により強固に接合されることから、背面部１４の端がはみ出したり、見苦しく剥がれたりするおそれがない。
【００１４】
また、ヘッドレストカバー１８は連結帯２０によってシートカバー本体８と連接されているので、取り外しても常に付随しクリーニング時にも別体となることなく取り扱いが容易となる。
【図面の簡単な説明】
【００１５】
【図１】本発明の実施形態に係る防犯用スクリーンが設けられた運転席の斜視図。
【図２】図１に示した運転席の後側からの斜視図。
【図３】本発明の実施形態に係る運転席用シートカバーの背面斜視図。
【図４】本発明の実施形態に係るシートカバーを装着する際の運転席の背面斜視図。
【図５】本発明の実施形態に係るシートカバーが装着された運転席の背面斜視図。
【図６】本発明の実施形態に係るシートカバーが装着された運転席の背面図。
【符号の説明】
【００１６】
１                背もたれ
２                ヘッドレスト
４                防犯用スクリーン
８                シートカバー本体
９ａ，９ｂ        肩部
１０ａ，１１ａ    スナップボタン
１２ａ，１３ａ    面ファスナー
１４              背面部
１０ｂ，１１ｂ    スナップボタン
１２ｂ，１３ｂ    面ファスナー
１８              ヘッドレストカバー
２０              連結帯
【図１】
2006026179.tif 000003
【図２】
2006026179.tif 000004
【図３】
2006026179.tif 000005
【図４】
2006026179.tif 000006
【図５】
2006026179.tif 000007
【図６】
2006026179.tif 000008